(57)【要約】 【課題】、長尺の雨樋の切断精度と作業性を向上するとともに切断屑を容易に回収できる「長尺材の切断屑回収用冶具」を提供することを目的とする。【解決手段】雨樋１の切断屑回収用冶具２は、切断屑回収箱３とこの切断屑回収箱３の両側に配設される切断補助箱４とで形成される。切断屑回収箱３は上端部３ａに開口５を持つ凹状形状で、切断補助箱４は下端部４ａに開口６を持つ凹状形状であり、下端部４ａに切断補助箱４の上端部４ｂと切断屑回収箱３の上端部３ａを略水平に保つための高さ調整具７を備える。一対の切断補助箱４のそれぞれの上端部４ｂに、雨樋１を挟持する一対のガイド８と切断屑回収箱３にスライド自在に係止する係止具９とを備える。切断屑回収箱３の下端部内面３ｃに磁性体３０が設けられ、切断補助箱４の上端部４ｂにも磁性体３１が設けられる。【選択図】  図１
2006233517.tif 000002
【特許請求の範囲】
【請求項１】
切断屑回収箱とこの切断屑回収箱の両側に配設される一対の切断補助箱とからなる長尺材の切断屑回収用冶具であって、
前記切断屑回収箱は上端部に開口を持つ凹状形状であり、
前記一対の切断補助箱は下端部に開口を持つ凹状形状で、この下端部に前記切断補助箱の上端部と前記切断屑回収箱の上端部を水平に保つための高さ調整具を備え、
前記一対の切断補助箱のそれぞれの上端部に、長尺材を挟持する一対のガイドと前記切断屑回収箱にスライド自在に係止する係止具とを備えることを特徴とする長尺材の切断屑回収用冶具。
【請求項２】
請求項１記載の長尺材の切断屑回収用冶具であって、前記一対のガイド間の幅が可変式であることを特徴とする長尺材の切断屑回収用冶具。
【請求項３】
請求項１又は請求項２に記載の長尺材の切断屑回収用冶具であって、前記切断屑回収箱の下端部内面と前記一対の切断補助箱の上端部外面に磁性体を備えることを特徴とする長尺材の切断屑回収用冶具。
【請求項４】
請求項１乃至請求項３のいずれか1項に記載の長尺材の切断屑回収用冶具であって、
前記切断補助箱の下端部に開口を覆う（前記高さ調整具の一部としての）遮蔽板が脱着自在に設けられ、この遮蔽板を反転して前記切断補助箱の高さを低くした状態で前記一対の切断補助箱が前記切断屑回収箱に突出せずに収納されることを特徴とする長尺材の切断屑回収用冶具。
【発明の詳細な説明】
【技術分野】
【０００１】
本発明は、長尺材の切断屑を容易に回収できる切断屑回収用冶具に関し、詳しくは、芯材に鉄を用いた雨樋（軒樋、縦樋）の切断時の切断屑の回収効率を向上させるとともに切断精度を向上させる技術に関する。
【背景技術】
【０００２】
従来、建物の建築現場における長尺の雨樋の切断時に、雨樋を十分保持できないため雨樋が不安定になり満足な切断精度が得られないという問題があった。また、作業そのものが不安定で危険な切断作業であった。
【０００３】
この問題を解決する為に、特許文献１では、精度よく且つ容易に軒樋が切断できる軒樋切断用補助具の構成が開示されている。図７（ａ）、（ｂ）に示すように、軒樋切断用補助具５１は雨樋５２の長手方向の一部を被嵌するための脱着自在な枠体５３を有し、この枠体５３は雨樋５２の長手方向に直角に添えられる。ここで、枠体５３は後壁５３ａと底壁５３ｂと前壁５３ｃとからなる凹状で、枠体５３の外面５４の側端面５５に雨樋５２の長手方向に対して垂直外向きに突出するガイド板部５６を設け、ガイド板部５６の側面５７と枠体５３の側端面５５とは面一に形成される。
【０００４】
そして、図８に示すように、軒樋切断用補助具５１の枠体５３の側端面５５に切断工具５９を沿わせて接地面５８上で雨樋５２を切断することができる。このため、切断動作が安定するので容易且つ正確に雨樋５２を所定の切断位置で長手方向に対して垂直に切断することができる。
【特許文献１】特開２００３−９７００２号公報
【発明の開示】
【発明が解決しようとする課題】
【０００５】
しかしながら、特に足場の悪い高所で雨樋（軒樋、縦樋）を切断する場合には風等によって切断屑が周辺に飛散するのでその回収に手間がかかるという問題があった。さらに、芯材に鉄を用いた雨樋の場合は飛散した鉄分が経年変化で錆びて周辺の部材にも影響を与えるという問題があった。
【０００６】
そこで、本発明は、上記従来の問題点を解消して、長尺材（雨樋）の切断精度と作業性を向上するとともに切断屑が容易にすべて回収できる地球環境に優しい「長尺材の切断屑回収用冶具」を提供することを目的とする。
【課題を解決するための手段】
【０００７】
請求項１の発明は、切断屑回収箱とこの切断屑回収箱の両側に配設される一対の切断補助箱からなる長尺材の切断屑回収用冶具であって、前記切断屑回収箱は上端部に開口を持つ凹状形状であり、
前記一対の切断補助箱は下端部に開口を持つ凹状形状で、この下端部に前記切断補助箱の上端部と前記切断屑回収箱の上端部を略水平に保つための高さ調整具を備え、前記一対の切断補助箱のそれぞれの上端部に、長尺材を挟持する一対のガイドと前記切断屑回収箱にスライド自在に係止する係止具とを備えることを特徴としている。
【０００８】
この長尺材の切断屑回収用冶具であれば、切断屑回収箱とこの切断屑回収箱の両側に配設される一対の切断補助箱により広い水平領域で長尺材が保持できる。さらに、長尺材を挟持する一対のガイドによって長尺材を確実に保持することができる。
【０００９】
請求項２の発明は、請求項１記載の長尺材の切断屑回収用冶具であって、前記一対のガイド間の幅が可変式であることを特徴としている。
【００１０】
この長尺材の切断屑回収用冶具であれば、種々の長尺材の幅に対応してガイドの幅寸法を調整することができる。
【００１１】
請求項３の発明は、請求項１又は請求項２に記載の長尺材の切断屑回収用冶具であって、前記切断屑回収箱の下端部内面と前記一対の切断補助箱の上端部外面に磁性体を備えることを特徴としている。
【００１２】
この長尺材の切断屑回収用冶具であれば、鉄分を含む長尺材の切断屑を磁力により確実に引付けることができる。
【００１３】
請求項４の発明は、請求項１乃至請求項３のいずれか1項に記載の長尺材の切断屑回収用冶具であって、前記切断補助箱の下端部には開口を覆う（前記高さ調整具の一部としての）遮蔽板が脱着自在に設けられ、この遮蔽板を反転して前記切断補助箱の高さを低くした状態で前記一対の切断補助箱が前記切断屑回収箱に突出せずに収納されることを特徴としている。
【００１４】
この長尺材の切断屑回収用冶具であれば、前記切断補助箱が前記切断屑回収箱に（遮蔽板が上方になるように切断補助箱を反転した状態で）突出せずに収納したときに、前記切断補助箱の遮蔽板が前記切断屑回収箱の蓋としての役割が得られる。
【発明の効果】
【００１５】
請求項１記載の発明によれば、広い水平領域によって長尺材を安定しさらに一対のガイドにより確実に保持することができるので長尺材の切断精度と作業性が向上する。また、広い水平領域が得られるので長尺材の切断時に切断屑を容易にすべて回収できて地球環境に優しくなる。
【００１６】
請求項２記載の発明によれば、種々の長尺材の幅に対応してガイドの幅寸法を調整することができるので、当該長尺材が確実に保持されるのでその切断精度と作業性が向上する。
【００１７】
請求項３記載の発明によれば、鉄分を含む長尺材の切断屑を磁力により確実に引付けることができるので切断屑が風等に煽られて周辺に飛散するのを防止できるとともに、鉄分が経年変化で錆びて周辺の部材に影響を与えるという問題も解消できる。
【００１８】
請求項４記載の発明によれば、前記切断補助箱が前記切断屑回収箱に収納されたときに、前記切断補助箱の遮蔽板が前記切断屑回収箱の蓋としての効果があるので、収容した切断屑が飛散することなく作業現場から持ち運ぶことができる。
【発明を実施するための最良の形態】
【００１９】
＜長尺材の切断屑回収用冶具の構成＞  
以下に、本発明の実施形態を図１〜図３に基づいて説明する。
【００２０】
図１、図２、図３に示すように、本発明の長尺材としての雨樋１（軒樋、縦樋）用の切断屑回収用冶具２は、切断屑回収箱３とこの切断屑回収箱３の両側に配設される一対の切断補助箱４とで形成される。
【００２１】
前記切断屑回収箱３は上端部３ａに開口５を持つ凹状形状で外形が長さＬ、幅Ｍ、深さＮの直方体である。そして、前記一対の切断補助箱４は下端部４ａに開口６を持つ凹状形状で外形が長さＬ１、幅Ｍ１、深さＮ１の直方体であり、この下端部４ａに前記切断補助箱４の上端部４ｂと前記切断屑回収箱３の上端部３ａを略水平に保つための高さ調整具７を備えている。
【００２２】
高さ調整具7は前記切断補助箱4の下端部４ａの開口６を覆う遮蔽板１０（長さＬ１、幅Ｍ１、厚さＴの矩形板）とこの遮蔽板１０をスライド自在に保持する溝型材１１（溝幅Ｔは遮蔽板１０の厚さＴと同寸法）とからなる。そして、溝型材１１は溝部１１ａが向き合うように切断補助箱４の側壁２０の下端部２１に沿って平行に取付けられる。遮蔽板１０の裏面１２には、遮蔽板１０の両端部１３近傍に一対のベース１４（長さＬ１、幅Ｍ３、高さＮ３の角材）が溝型材１１に干渉しないように取付けられる。
【００２３】
ここで、前記切断補助箱４の上端部４ｂと前記切断屑回収箱３の上端部３ａが略水平に保たれるので、
Ｎ＝Ｎ１＋Ｎ３−ｔ１の関係である。（溝型材１１の板厚ｔ１とする。）
さらに、前記一対の切断補助箱４のそれぞれの上端部４ｂに、雨樋１を挟持する一対のガイド８と前記切断屑回収箱３にスライド自在に係止する係止具９とを備えている。
【００２４】
前記一対のガイド８は、底面８ａの幅Ｒ１、高さＲ２の断面三角形形状で、長さＬ２は切断補助箱４の長さＬ１からＲ３だけ飛び出して形成される。
【００２５】
前記一対のガイド８は前記切断補助箱４の上端部４ｂの前壁２２と後壁２４近傍に形成される孔２５を介して図示しないボルト等で固着される。一対のガイド８の複数の取付幅Ｓ（対称に配列される孔２５と孔２５間の距離）は想定される雨樋１の形状に合わせて適宜決定される。
【００２６】
係止具９は、幅Ｒ４、高さＲ５の断面矩形形状で、長さＭ１（遮蔽板１０の幅Ｍ１と同じ長さ）で切断補助箱４の後壁２４に対して隙間Ｒ６で前記一対のガイド８の底面８ａに固着される。このとき、係止具９と切断補助箱４の後壁２４との間に挟まれる切断屑回収箱３の壁３ｂが安定してスライド自在となるように、隙間Ｒ６は切断屑回収箱３の壁３ｂの板厚ｔ２と略同じ長さに形成される。
【００２７】
そして、切断補助箱４には、遮蔽板１０を反転しても遮蔽板１０のベース１４がスライド自由に通過できる通過孔２３を備えている。
【００２８】
また、前記切断屑回収箱３の下端部内面３ｃには下端部内面３ｃと略同じ範囲（長さＬ、幅Ｍ）で磁性体３０が設けられ、前記一対の切断補助箱４の上端部４ｂ（上端部外面）にもガイド８及び孔２５に被らない範囲で磁性体３１が設けられる。
【００２９】
なお、一対の切断補助箱４は矢印で示すように切断屑回収箱３内に収納することができる構成になっている。
【００３０】
ここで、切断屑回収箱３と切断補助箱４の材質は雨樋１の切断時に歪まない剛性を有するものであれば特に限定されず、例えば、金属、木製、合成樹脂等が用いられる。適用する雨樋１の材質は、例えば、硬質ポリ塩化ビニル、ポリエチレン、ポリプロピレン、ポリカーボネートのような合成樹脂に芯材として鉄が用いられる。
【００３１】
＜長尺材の切断屑回収用冶具の作用＞
上述のように、前記一対のガイド８によって雨樋１を両側から保持できるので、鋸等の切断工具で切断する際に切断動作が安定し、雨樋１を容易且つ正確に切断できる。
【００３２】
また、前記一対のガイド８は、適用される雨樋１の形状に合わせて複数の取付幅Ｓが用意されるので汎用性が向上する。
【００３３】
そして、長尺材の切断屑回収用冶具２は、切断屑回収箱３とこの切断屑回収箱３の両側に配設される一対の切断補助箱４によって広範囲に形成されるので、雨樋１が長尺であっても安定して保持できるため雨樋１を容易に且つ正確に切断できる。
【００３４】
前記一対の切断補助箱４のそれぞれの上端部４ｂに、前記切断屑回収箱３にスライド自在に係止する係止具９を備えているので、限られた足場の悪い高所で雨樋１を切断する場合でもできるだけ安定した係止位置を選んで作業することができるので安全性が向上する。また、その係止位置を風向き等の状況に合わせることにより前記切断屑回収箱３への切断屑の回収効率を向上させることもできる。
【００３５】
さらに、前記切断屑回収箱３に対して各々の切断補助箱４を別個にスライドできるので、直線形状でない長尺の雨樋１であってもその形状に適応して各々の係止位置を選ぶことも可能である。
【００３６】
前記切断屑回収箱３の下端部内面３ｃに磁性体３０、前記一対の切断補助箱４の上端部４ｂ（上端部外面）に磁性体３１がそれぞれ設けられるので、切断屑を磁力によって広範囲に効率よくすべて回収することができるので切断屑が周辺に飛散することがなくなる。
【００３７】
図４、図５に示すように、切断補助箱４には、上述のように遮蔽板１０を反転しても遮蔽板１０のベース１４がスライド自由に通過できる通過孔２３が形成されるので、切断補助箱４の下端部２１に備えられた高さ調整具７が、切断補助箱４から一旦引き出されてのち上下反転して切断補助箱４に再装着できる。
【００３８】
この状態で、高さ調整具７の遮蔽板１０のベース１４が上向きで切断補助箱４内に格納されるので、切断補助箱４の全高Ｖ１＝Ｒ２＋Ｎ１＋Ｎ３からＶ２＝Ｒ２＋Ｎ１に変化するので、切断補助箱４の高さはＮ３だけ低くなる。
【００３９】
そして、図６に示すように、図５の状態の一対の切断補助箱４全体を上下反転した状態で切断屑回収箱３に突出せずに格納できる。（切断屑回収箱３と切断補助箱４はＮ≧Ｖ２の関係に形成される。）
このため、切断屑回収用冶具２はコンパクト化されるので持ち運びが容易になる。また、切断補助箱４の高さ調整具７の遮蔽板１０が実質的に切断屑回収箱３の蓋になるので、収容した切断屑（切断屑回収箱３内に収容した切断屑及び切断補助箱４の磁性体３１で捕獲した切断屑）が飛散することなく作業現場から確実に撤収することができる。
【００４０】
さらに、切断屑回収箱３内がカッター等の道具や部品の蓋付収納庫として利用できるので現場への持ち運びの利便性が高まる。
【００４１】
以上、本発明の実施形態を図面に基づいて説明したが、上記の実施例はいずれも本発明の一例を示したものであり、本発明はこれらに限定されるべきでないということはいうまでもない。
【００４２】
たとえば、切断補助箱４は上下反転しない状態で切断屑回収箱３に格納しても構わない。
【００４３】
前記一対のガイド８の形状は必ずしも断面三角形形状でなくてもよく、使用する雨樋１の形状に対応して決定すればよい。
【００４４】
ガイド８の取付け孔２５は長孔でもよく、長孔であればガイド８間の取付幅Ｓをさらに任意に調整可能である。
【００４５】
雨樋１の材質が鉄分を含まない合成樹脂製であってもかまわない。この場合、前記切断屑回収箱３の磁性体３０と前記一対の切断補助箱４の磁性体３１は特になくてもよい。
【図面の簡単な説明】
【００４６】
【図１】本発明の実施形態における、長尺材の切断屑回収用冶具の斜視図である。
【図２】本発明の実施形態における、切断補助箱の高さ調整具をスライドした状態を示す斜視図である。
【図３】本発明の実施形態における、切断補助箱の上端部の平面図である。
【図４】本発明の実施形態における、切断補助箱の使用状態における高さ調整具の状態を示す側面図である。
【図５】本発明の実施形態における、切断補助箱の不使用状態における高さ調整具の状態を示す側面図である。
【図６】本発明の実施形態における、切断補助箱を切断屑回収箱に格納した状態を示す斜視図である。
【図７】従来例における、（ａ）は軒樋切断用補助具の側面図、（ｂ）は図７（ａ）におけるＡ−Ａ矢視図である。
【図８】従来例における、軒樋切断用補助具を用いて軒樋を切断する状態を示す断面図である。
【符号の説明】
【００４７】
１  雨樋
２  切断屑回収用冶具
３  切断屑回収箱
３ａ  上端部
３ｃ  下端部内面
４  切断補助箱
４ａ  下端部
４ｂ  上端部
５  開口
６  開口
７  高さ調整具
８  ガイド
９  係止具
３０  磁性体
３１  磁性体
【図１】
2006233517.tif 000003
【図２】
2006233517.tif 000004
【図３】
2006233517.tif 000005
【図４】
2006233517.tif 000006
【図５】
2006233517.tif 000007
【図６】
2006233517.tif 000008
【図７】
2006233517.tif 000009
【図８】
2006233517.tif 000010